(57)【要約】      （修正有）【課題】照射光量を増加させ、作業を容易とするような構造とし、さらに不良蛍光灯の有無を目視でチェックできるようにした歯科技工用光重合装置を提供する。【解決手段】筐体前面の扉に覗き窓を形成するハーフミラーを設け、筐体内の上部や側面から照射される可視光はハーフミラーの筐体内側の面で反射させかつ、扉の外部からは内部を透視観察できるようにした。また下端が軸支された扉を開いた際連動して引き出される歯科修復部材載置用のテーブルを採用し、さらに両側面の複数本の蛍光灯のみを点滅させるスイッチを設け不良蛍光灯の有無を目視でチェックできるようにした。【選択図】図１
0003144409.tif 000002
【実用新案登録請求の範囲】
【請求項１】
可視光重合性歯科修復部材を重合硬化する光重合装置において、
前記光重合装置の筐体内に配設された、可視光線照射用のメインランプ及び複数本の蛍光灯と、歯科修復部材載置用のテ−ブルと、
筐体前面の扉と、該扉に設けられたハーフミラーによって形成される覗き窓を備えてなり、
前記ハーフミラーによって、筐体内側に向いた面は前記メインランプ及び複数本の蛍光灯からの照射光の一部を内側に反射させて、歯科修復部材の重合硬化に作用させ、
また、筐体の外側からは内部を透視観察できるようにしたことを特徴とする歯科技工用光重合装置。
【請求項２】
前記光重合装置の歯科修復部材載置用のテ−ブルが、下端部が筐体に軸支された扉の開閉と連動して筐体外に引き出され、また筐体内に格納される機構を備えてなることを特徴とする請求項１に記載の歯科技工用光重合装置。
【請求項３】
前記扉が、下端部を筐体に軸支され、開閉に応じて回転する第一のギアと、
歯科修復部材載置用のテーブルを配設しラックギアが固設されている引き出し部及び、前記第一ギアの動きを前記ラックギアに伝達する複数のギアを備えてなり、
扉を開くと、扉の動きに連動して前記引き出し部が筐体外の方向に引き出され、
扉を閉めると、引き出し部が筐体内部に戻されるものであることを特徴とする請求項１又は２に記載の歯科技工用光重合装置。
【請求項４】
前記筐体前面の上部に操作・表示板を設け、
前記操作・表示板に、複数本の前記蛍光灯のみを点滅させる操作スイッチを備えてなり、不良蛍光灯の有無を筐体外部より目視でチェックできるようにしたことを特徴とする請求項１〜３のいずれか１項に記載の歯科技工用光重合装置。
【考案の詳細な説明】
【技術分野】
【０００１】
本考案は、光重合装置に係り、特に歯科技工用光重合装置に関する。
【背景技術】
【０００２】
従来、歯科技工用光重合装置において、テーブル上の歯科修復部材の状態を見る覗き窓は、単に茶褐色の小面積の半透明板であった。
また、装置前面の扉は、扉の内側に固定された歯科修復部材載置用のテーブルを一緒に引き出す引き出し方式になっており、引き出し後、修復部材の位置を変えたり、取り出して再セットしたりしていた。
さらに、筐体内にメインランプと複数本の蛍光灯が配設された機器があるが、不良蛍光灯の有無の判定機能はなかった。
【特許文献１】特開平８−５２１６２号公報
【特許文献２】特開平８−１７３４６０号公報
【非特許文献１】１９９８年モリタ機器総合カタログ  ４５頁  技工用機器  右上  多目的光重合器  αーライトII
【考案の開示】
【考案が解決しようとする課題】
【０００３】
前記のように、従来の歯科技工用光重合装置の覗き窓は、単に茶褐色の小面積の半透明板であり、筐体内面に向いている部分には光を反射させる要素はなく、その分照射光量が減少していた。
また、扉はその内側に固定された歯科修復部材載置用のテーブルを一緒に引き出す引き出し方式のため、テーブルを引き出した際、筐体の前が扉によって塞がれ、歯科修復部材の位置を変えたり、取り出して再セットする作業の障害になっていた。
さらに，筐体内に配設されている複数本の蛍光灯中のいずれかが不良となっても、他のメインランプや蛍光灯の光量が多いため、目視では不良の蛍光灯を特定することは困難であり、その結果歯科修復部材の硬化が不十分になる場合があった。
【課題を解決するための手段】
【０００４】
上記に鑑み、本考案者は実験研究の結果、下記の手段により上記課題を解決した。
（１）可視光重合性歯科修復部材を重合硬化する光重合装置において、前記光重合装置の筐体内に配設された、可視光線照射用のメインランプ及び複数本の蛍光灯と、歯科修復部材載置用のテ−ブルと、筐体前面の扉と、該扉に設けられたハーフミラーによって形成される覗き窓を備えてなり、前記ハーフミラーによって、筐体内側に向いた面は前記メインランプ及び複数本の蛍光灯からの照射光の一部を内側に反射させて、歯科修復部材の重合硬化に作用させ、また、筐体の外側からは内部を透視観察できるようにしたことを特徴とする歯科技工用光重合装置。
【０００５】
（２）前記光重合装置の歯科修復部材載置用のテ−ブルが、下端部が筐体に軸支された扉の開閉と連動して筐体外に引き出され、また筐体内に格納される機構を備えてなることを特徴とする前項（１）に記載の歯科技工用光重合装置。
（３）前記扉が、下端部を筐体に軸支され、開閉に応じて回転する第一のギアと、歯科修復部材載置用のテーブルを配設しラックギアが固設されている引き出し部及び、前記第一ギアの動きを前記ラックギアに伝達する複数のギアを備えてなり、扉を開くと、扉の動きに連動して前記引き出し部が筐体外の方向に引き出され、扉を閉めると、引き出し部が筐体内部に戻されるものであることを特徴とする前項（１）又は（２）に記載の歯科技工用光重合装置。
【０００６】
（４） 前記筐体前面の上部に操作・表示板を設け、前記操作・表示板に、複数本の前記蛍光灯のみを点滅させる操作スイッチを備えてなり、不良蛍光灯の有無を筐体外部より目視でチェックできるようにしたことを特徴とする前項（１）〜（３）のいずれか１項に記載の歯科技工用光重合装置。
【考案の効果】
【０００７】
１、本考案の請求項１の考案によれば、
可視光重合性歯科修復部材を重合硬化する光重合装置において、
光重合装置筐体内の、可視光線照射用のメインランプ及び複数本の蛍光灯と、
歯科修復部材載置用のテ−ブルと、筐体前面の上部に配設された操作・表示板並びに、筐体前面の扉と、該扉に設けられたハーフミラーによって形成される覗き窓を備え、
前記ハーフミラーは、筐体内側に向いた面は前記メインランプ及び複数本の蛍光灯からの照射光の一部を内側に反射させ、筐体の外側からは内部を透視できるようにしたため、
ハーフミラーの筐体内側からの反射光により、テーブル上の歯科修復部材への照射光量が増加して、硬化深度が大きくなりその分、処理時間は短縮され作業効率は向上する。
後記測定によれば，処理時間が従来より約２０％短縮された。
また、照射中の歯科修復部材は覗き窓から透視できるので、従来通り状態を見ることができる。
【０００８】
２、請求項２の考案によれば、
前記光重合装置の歯科修復部材載置用のテ−ブルが、下端部が筐体に軸支された扉開閉と連動して筐体外に引き出され、また筐体内に格納される機構を備えてなるため、
筐体の前が扉によって塞がれることがなく、歯科修復部材の位置を変えたり、取り出して再セットする等の作業効率が向上する。
３、請求項３の考案によれば、
前記扉が、下端部を筐体に軸支され、開閉に応じて回転する第一のギアと、
歯科修復部材載置用のテーブルを配設しラックギアが固設されている引き出し部、及び、前記第一ギアの動きを前記ラックギアに伝達する複数のギアを備えてなり、
扉を開くと、扉の動きに連動して前記引き出し部が筐体外の方向に引き出されるラックとピニオンによる機構によって、小型でかつ、前記回転を直線運動に確実に変えることができる。
４、請求項４の考案によれば、
前記操作・表示板内に、複数本の前記蛍光灯のみを点滅させるスイッチを備え、
前記スィッチによって、不良蛍光灯の有無を目視でチェックできるようにしたため、
判定が容易であり、不具合に対し迅速に対応することができる。
【考案を実施するための最良の形態】
【０００９】
発明を実施するための最良の形態を図に基づいて以下に説明する。
図１は、本考案の歯科技工用光重合装置の外観斜視図である。
図において、１は歯科技工用光重合装置、２は筐体、３は筐体前面部、４は操作・表示板、５は扉、６は覗き窓、８は把手、９は電源スイッチ、１０は脚を示す。
図示したように歯科技工用光重合装置１の外観は、筐体２と、固定された筐体前面部３と、同筐体前面部３の上部に配設された操作・表示板４と、前記筐体前部３の中央から下部を占める筐体前面部３下端の軸支部（図２：１１）に開閉可能に軸支された扉５とで形成され、
同扉５の中央部には、前面に透明な湾曲板からなる把手８と、同把手８の後部でかつ前記扉５の背面に配設されたハーフミラー（図２：７）によって形成された覗き窓６が配設されている。
また、側面には電源スイッチ９が，底面には脚１０が、背面には電源コード（図示せず）が配設されている。
【００１０】
図２は筐体の内部配置を示す右側面側から視た縦断面図である。
本図は扉５を閉めた状態である。
図において、７はハーフミラー、１１は軸支部、１２はテーブル、１２’はシャフト、１３は引き出し部、１４ａは左側面の蛍光灯、１５はメインランプ、１６は反射板、１７は排出扇、１８は送風扇、１９はモータ、１９’はシャフト、２０は集光レンズ、２５はラックギア、２６はスライドレール、３２はギアＦ、３３はギアＡ（第一ギア）、３４はギアＢ、３５はギアＣ、３６はギアＤ、３７はギアＥ、３８はギアＧを示す。
【００１１】
図示したように、歯科修復部材（図４、図５：２３）載置用のテーブル１２は、筐体２内の下部左右の中央でかつ前後位置の前寄りで後記集光レンズ２０の真下に配設されている。
そして、歯科修復部材載置用のテーブル１２の下部は、後記引き出し機構を有する引き出し部１３に配設されている。
また、前記引き出し部１３に配設されたテーブル１２のシャフト１２’の下端部には、ギアＦ３２が固着されており、同ギアＦ３２は、モータ１９のシャフト１９’に固着されているギアＧ３８と噛み合っている。
従って、モータ１９が回転し前記ギアＧ３８が回転するとギアＦ３２及びシャフト１２’も回転して、テーブル１２が回転する。
【００１２】
また、筐体２の内部は、メインランプ１５の光を反射板１６で下方に反射し、さらに集光レンズ２０によって前記真下に配設されている歯科修復部材載置用のテーブル１２上の歯科修復部材（２３）を照射する。
そして、前記集光レンズ２０とテーブル１２の間の左右両側面には、左側の蛍光灯１４ａ及び、右側の蛍光灯１４ｂ（図３）が各複数本配設されており、前記テーブル１２上の歯科修復部材（２３）に光を照射している。
さらに、外部からの空気を送風扇１８から取り入れ、筐体内のメインランプ１５及び左側の蛍光灯１４ａ（右側の蛍光灯１４ｂ：図３）からの発熱を排出扇１７によって外部に放出している。
【００１３】
次に、引き出し部１３を説明する。
基本的には、下端部が筐体２に軸支された扉５の開閉に応じて回転するギアＡ３３（第一ギア）と、同ギアＡ３３の回転を伝達する筐体２の下部に連設された複数のギアＢ３４、ギアＣ３５，ギアＤ３６を介して径の大きいギアＥ３７に伝達し、
同ギアＥ３７と噛み合うラックギア２５によって回転を前後の直線運動に変換し、
スライドレール２６上の前記ラックギア２５の前端部に配設された歯科修復部材載置用のテーブル１２を前後に移動させている。
【００１４】
また、扉５を閉めた状態（図２）においては、
歯科修復部材載置用のテーブル１２のシャフト１２’の下端部には、ギアＦ３２が固着されており、そして同ギアＦ３２は、前記モータ１９のシャフト１９’に固着されているギアＧ３８と噛み合っている。
従って、モータ１９が回転し前記ギアＧ３８が回転すると、前記ギアＦ３２及びテーブルのシャフト１２’も回転して、テーブル１２が回転する。
【００１５】
そして、扉５を開き初めると、前記ギアＡ３３は回転し、ラックギア２５は前進するので、噛み合っていたギアＦ３２とギアＧ３８とは離れ、テーブル１２の回転は停止する。
さらに、前方に扉５を開ききった状態では、スライドレール２６の上を前記ギアＥ３７の回転により前方に移動するラックギア２５の前端部に装着された歯科修復部材載置用のテーブル１２が、前方に引き出される（図７）。
【００１６】
図３は、筐体内部配置を示す左側面側から見た縦断面図である。
図において、１４ｂは右側の蛍光灯を示す。なお、前記引き出し部１３の複数のギアは、この図では見えない。
【００１７】
図４は、筐体内における蛍光灯の照射光と反射光の光路を示す横断面図である。
図において、２２は置台、２３は歯科修復部材、２４は照射光路を示す。
なお、置台２２は、歯科修復部材２３の形状や材質に応じてその都度異なる台で、前記歯科修復部材２３は、置台２２を介して前記回転するテ−ブル１２に載置される。
【００１８】
そして、前記蛍光灯（左側の蛍光灯１４ａ、右側の蛍光灯１４ｂ）の照射光は直進及び散乱するので、筐体２の内壁や、前記歯科修復部材２３等にあたって反射し、筐体２の内部は光が充満している状態となっている。
この際、前面の覗き窓６の筐体２の内面側に光の反射物体があれば、その面積だけ光の反射が増大するため、前記歯科修復部材２３への照射光量が増大する。
前述したように、本考案の覗き窓６は、前面に透明な湾曲板からなる把手８と、
同把手８の後部でかつ前記扉５の背面に配設されたハーフミラー７によって形成されているので、ハーフミラー７の筐体内側の照射光路２４のように光を反射し、前記歯科修復部材２３への照射光量増大の目的を果たしている。
【００１９】
図５は、メインランプの照射光と反射光の光路を示す図１の縦断面図である。
図において２４’は散乱光路を示す。
前記のように、筐体２の後方上部に配置されたメインランプ１５の照射光は、反射板１６で下方に反射され、さらに集光レンズ２０を介して下方に照射される。
この光は直進し、前記歯科修復部材２３、置台２２、テーブル１２等を照射するとともに、それらからの反射光は散乱光となる。
さらに、前記散乱光は筐体２の周囲の内壁にあたって反射し散乱光となるため、筐体２の内部は光が充満された状態となる。
【００２０】
メインランプ１５の照射光の場合、前記ハーフミラ７の反射の対象となるのは前記散乱光路２４’による散乱光である。
上記の散乱光路２４’は多数で複雑であるが、図では省略して示した。
そして、この際、前面の覗き窓６の筐体２の内面側に光の反射物体ハーフミラー７があれば、その面積分だけ光の反射が増大するため、前記歯科修復部材２３への照射光量は増加する。
【００２１】
また、上記では、歯科修復部材２３への照射光を、主として側面から照射する左右の蛍光灯１４ａ、１４ｂ（図４）及び、主として上方から照射するメインランプ２０（図５）に分けて説明したが、実際には、前記筐体２の内部は、左右の蛍光灯１４ａ、１４ｂによる照射光と、メインランプ１５による照射光とが合成されており、その直射光及び散乱光で充満されている。
【００２２】
前記のように、本考案の覗き窓６において、扉５の背面はハーフミラー７で形成されているので、ハーフミラー７の筐体内側の照射光路２４や散乱光路２４’のように光を反射し、前記照射光量増大の目的を果たしている。
さらに、前記歯科修復部材２３載置用のテーブル１２は、前記のようにモータ１９により、ギアＦ３２を介して回転しているので、歯科修復部材２３に光は万遍なく照射される。
また、上記の状態は扉５の外部より、覗き窓６を通して透視できるため、従来通り照射されている歯科修復部材２３を見ることができる。
【００２３】
次に、本考案の歯科技工用光重合装置と、前記ハーフミラーを配設していない従来の
歯科技工用光重合装置との性能を比較するため、歯科修復部材の硬化深度と照射時間の関係及び、硬化時間短縮率を示す測定データを図に示した。
測定は、両者の性能を比較しやすいように、硬化させにくい歯科修復部材（歯科用硬質レジン）の側面において行った。
図９は「硬化深度比較」測定のグラフである。
図において、縦軸は硬化深度［ｍｍ］、横軸は照射時間［秒］で、
グラフのプロット●はハーフミラー付、◆は従来のハーフミラー無しのものを示す。
両者を比較すると、同一照射時間［秒］では、ハーフミラー付は硬化深度が深いことが判る。
【００２４】
図１０は、上記図９と同一のデータを、「硬化深度に対する硬化時間の短縮率」を示すグラフに置き換えたもので、横軸は硬化深度ｍｍ、縦軸は硬化時間短縮率％である。
また、実線は各プロットをなだらかな曲線に置き換えたものである。
図において、例えば、硬化深度２ｍｍにおける硬化時間短縮率は、２０％であることが判り、前記（考案の効果）で述べたように、処理時間は当社従来比で約２０％短縮され、作業効率は向上する。
【００２５】
図６は、扉を開いたときの外観斜視図である。
この際、テーブル１２は、引き出し部１３とともに前方に引き出されている。
【００２６】
図７は、図６の右側面側から見た縦断面図である。
図は扉５が開ききった状態を示す。
前述したように、テーブル１２の回転は停止し、前記ギアＥ３７の回転によりスライドレール２６の上を移動するラックギア２５の前端部に装着された歯科修復部材２３載置用のテーブル１２が、引き出し部１３とともに前方に引き出されている。
即ち、扉５の下端部に軸支部１１が固着されたギアＡ３３が、扉５が開くのに応じて回転すると、筐体２の下部に連設されている噛み合せギアＢ３４、ギアＣ３５，及びギアＤ３６を介してギアＥ３７に回転が伝達され、同ギアＥ３７と噛み合うラックギア２５が前進し、扉５を開ききると停止する。
そして、テーブル１２は作業しやすい位置迄引き出される。（図６、図７）。
扉が開き水平となり、テーブル１２が前方に引き出されるため、前記テーブル１２の周囲には空隙があり、作業の妨げにならない。
【００２７】
図８は、操作・表示板の正面外観図である。
図において、２７は表示板、２８は蛍光灯点灯のチェックボタン、２９はスタート・ストップボタン、３０は照射時間設定ボタン、３１は歯科修復部材や、その形状等により異なる照射時間のメモリーボタン（４個）を示す。
前記、メインランプ１５及び左側の蛍光灯１４ａと右側の蛍光灯１４ｂの照射時間は、
前記表示板２７に表示される。
また、照射時間設定ボタン３０により、任意の時間（分及び秒）を設定することができる。そして、スタート・ストップボタン２９によって作動する。
【００２８】
また、蛍光灯点灯のチェックボタン２８を押すことによって、前記左側の蛍光灯１４ａ及び右側の蛍光灯１４ｂのみを点滅させ、目視により不良蛍光灯の有無をチェックすることができる。
【図面の簡単な説明】
【００２９】
【図１】本考案の歯科技工用光重合装置の外観斜視図
【図２】図１の右側面側から見た縦断面図
【図３】図１の左側面側から見た縦断面図
【図４】蛍光灯の照射光と反射光の光路を示す横断面図
【図５】メインランプの照射光と反射光の光路を示す縦断面図
【図６】扉を開いたときの外観斜視図
【図７】図６の右側面側から見た縦断面図
【図８】操作・表示板の正面外観図
【図９】硬化深度比較グラフ図
【図１０】硬化深度に対する硬化時間の短縮を示すグラフ図
【符号の説明】
【００３０】
１：歯科技工用光重合装置
２：筐体
３：筐体前面部
４：操作・表示板
５：扉
６：覗き窓
７：ハーフミラー
８：把手
９：電源スイッチ
１０：脚
１１：軸支部
１２：テーブル
１２’：シャフト
１３：引き出し部
１４ａ：左側の蛍光灯
１４ｂ：右側の蛍光灯
１５：メインランプ
１６：反射板
１７：排出扇
１８：送風扇
１９：モータ
１９’：シャフト
２０：集光レンズ
２２：置台
２３：歯科修復部材
２４：照射光路
２４’：散乱光路
２５：ラックギア
２６：スライドレール
２７：表示板
２８：蛍光灯点灯のチェックボタン
２９：スタート・ストップボタン
３０：照射時間設定ボタン
３１：照射時間メモリーボタン
３２：ギアＦ
３３：ギアＡ
３４：ギアＢ
３５：ギアＣ
３６：ギアＤ
３７：ギアＥ
３８：ギアＧ
【図１】
0003144409.tif 000003
【図２】
0003144409.tif 000004
【図３】
0003144409.tif 000005
【図４】
0003144409.tif 000006
【図５】
0003144409.tif 000007
【図６】
0003144409.tif 000008
【図７】
0003144409.tif 000009
【図８】
0003144409.tif 000010
【図９】
0003144409.tif 000011
【図１０】
0003144409.tif 000012